(57)【特許請求の範囲】
【請求項１】
略板状とした箱本体が、背面板と、この背面板の両側辺に側面板を介して連接されて背面板の前方側に折り曲げられている対の内面板と、前記背面板の下辺に底面板を介して連接されて背面板の前方側に折り曲げられ、前記内面板に重ね合わせている正面板と、からなり、前記箱本体は前記背面板と正面板と底面板と側面板とで囲まれて上面に開口する出し入れ口を配した収納部を有し、
前記正面板の上辺の折り返し片を箱本体の内方にして斜め下方への折り曲げにより、前記正面板を前記内面板に係止し、前記折り返し片の先端部分が前記背面板に付勢状態で当接することにより、前記収納部内の収納物を前記折り返し片と前記背面板とで挟み込んで保持することができ、
箱本体における前記背面板の上辺には、折り部を介して前記収納部を吊支するための掛け止め用開口部を備えた吊支用フック板が収納部上下方向に回動可能にして連接されているとともに、前記背面板には、折り起こし可能なフック板倒し込み手段が切り込み形成され、
前記収納部の後方に向けて折り起こししたときの前記フック板倒し込み手段を、背面板の上辺から収納部後方に向けて倒した前記吊支用フック板に係脱可能に係止し、後方に傾倒する収納部を、該収納部後方への倒れ状態がフック倒し込み手段の前記係止により保持されている前記吊支用フック板が支持して、収納部下部と吊支用フック板との接地により収納部の自立状態が維持され、前記フック板倒し込み手段に対し非係止状態にして前記収納部の出し入れ口の上方に位置する吊支用フック板を、ドアノブなどの被掛け止め対象物に掛け止めしたときに、出し入れ口を上方に向けた前記収納部が吊支用フック板を介して前記被掛け止め対象物に吊支状態になる構成としたことを特徴とする収納箱。
【発明の詳細な説明】
【技術分野】
【０００１】
従来から小物商品を包装の形態で店頭陳列販売する際や、チラシなどの複数の枚葉物を簡易なケースなどに入れ、それを目立ち易い場所に配置して取り出しができるようにしたい場合などでは、容器やケースの上に孔やフックとなる形状部分を一体に設けた用具が利用される。さらに簡易的な構造とするために板紙を利用して構成されている用具も提案されている。例えば特許文献１に示されたホルダーがあって、このホルダーでは、対のスリットを板紙に入れてそこにポケットティシュやチラシを差し入れるようにするとともに、上部には係止孔やＣ字状のフックを設けており、ドアノブなどに吊り下げできるようにしたホルダーである。
【０００２】
また、薄手の物品やチラシ、パンフレットなどの枚葉物を収容して縦置き状態で据え置くことができるようにしたホルダー形式の卓上用品も多く提案されており、背部に脚を添えて後方に傾倒した状態で自立する樹脂ケースに月ごとの枚葉紙をセットした卓上カレンダーなどがある。そして、収納部の部分を板紙で構成される用具としては、特許文献２に示されているように上面開放の収納部を板紙の組み起こしにより設けるとともに、背面板の一部を折り起こした脚にて後方に傾倒した状態で自立できるようにした紙葉類立てがあり、吊り下げをも行えるようにした工夫も合わせて示されている。
【先行技術文献】
【特許文献】
【０００３】
【特許文献１】実開昭６１−１２６２７９号公報
【特許文献２】実用新案登録第３１８１５５３号公報
【発明の概要】
【発明が解決しようとする課題】
【０００４】
上記特許文献１において示されている小物商品や枚葉物を吊り下げるホルダーは、ドアノブなどに掛け止めるフックを有するものであるので、ホルダーの全体形状が特徴的なものとなる。そのため吊り下げ使用時の視認性が良好であり、収納物へのアイキャッチ効果が良好であり、注意喚起を促す効果も十分に備えた用具である。また一方、このようなホルダーに収容する小物商品、チラシ、パンフレットなどに関しては収納物を利用する側や配布者側の要望によって卓上にて据え置くこともあるので、フックを備える収納用具に対して、上述した特許文献２において示されているような傾倒可能とする脚を備える構成とすることが、両方の利用形態に対応できる収納用の用具となると考えられる。
【０００５】
しかしながら、両方の利用形態に対応できるようにフックと脚とする部材とを単に備えるようにしたものでは、これを卓上に据え置いて利用するときにフック部分が無用な部分であり、無駄な部分を備える用具となってしまい、さらに卓上用としてはその外観が奇異なものとなるという問題が生じる。そのため、一般的な構造では、吊り下げから卓上などへの据え置きタイプとして使用形態を変更する場合にフックの部分を切り取って使用するものがあるが、このような場合には、フックを切り取る手間を要するとともに、切り取り箇所が目に留まって美観を損ね易くなってしまうという不具合がある。
【０００６】
そこで本発明は上記事情に鑑み、板紙の組み起こしによって得られる簡易な構造であって、上述したフックと脚とを単に備えた用具での不具合が生じない用具を開発することを課題とし、吊り下げおよび据え置きのいずれの使用形態でも利用できる収納箱を提供することを目的とするものである。
【課題を解決するための手段】
【０００７】
本発明は上記課題を考慮してなされたもので、略板状とした箱本体が、背面板と、この背面板の両側辺に側面板を介して連接されて背面板の前方側に折り曲げられている対の内面板と、前記背面板の下辺に底面板を介して連接されて背面板の前方側に折り曲げられ、前記内面板に重ね合わせている正面板と、からなり、前記箱本体は前記背面板と正面板と底面板と側面板とで囲まれて上面に開口する出し入れ口を配した収納部を有し、
前記正面板の上辺の折り返し片を箱本体の内方にして斜め下方への折り曲げにより、前記正面板を前記内面板に係止し、前記折り返し片の先端部分が前記背面板に付勢状態で当接することにより、前記収納部内の収納物を前記折り返し片と前記背面板とで挟み込んで保持することができ、
箱本体における前記背面板の上辺には、折り部を介して前記収納部を吊支するための掛け止め用開口部を備えた吊支用フック板が収納部上下方向に回動可能にして連接されているとともに、前記背面板には、折り起こし可能なフック板倒し込み手段が切り込み形成され、
前記収納部の後方に向けて折り起こししたときの前記フック板倒し込み手段を、背面板の上辺から収納部後方に向けて倒した前記吊支用フック板に係脱可能に係止し、後方に傾倒する収納部を、該収納部後方への倒れ状態がフック倒し込み手段の前記係止により保持されている前記吊支用フック板が支持して、収納部下部と吊支用フック板との接地により収納部の自立状態が維持され、前記フック板倒し込み手段に対し非係止状態にして前記収納部の出し入れ口の上方に位置する吊支用フック板を、ドアノブなどの被掛け止め対象物に掛け止めしたときに、出し入れ口を上方に向けた前記収納部が吊支用フック板を介して前記被掛け止め対象物に吊支状態になる構成としたことを特徴とする収納箱を提供して、上記課題を解消するものである。
【発明の効果】
【０００８】
本発明によれば、収納箱を吊り状態で使用する場合には、収納部の上に配した吊支用フック板を用いてこれをドアノブなどに掛ければよい。また、テーブル上などに据え置いて使用する場合には、吊支用フック板を収納部の後方に倒してこの吊支用フック板自体で後方から収納部を支える構成となるものとしており、収納部の上方に吊支用フック板が存在していないので、据え置き使用時のデザインが大きく損なわれることがないという効果を奏する。
【０００９】
そして、吊り下げの使用形態から据え置きの使用形態に変更するに際して吊支用フック板を切り取らないので、上述した切り取りの手間がなく、また、切り取り部分が生じないので、収納箱を据え置きして使用しているときの美観が損なわれない。勿論、フック板倒し込み手段から吊支用フック板を外して起こすことで吊り下げして使用する形態に簡単に戻すこともでき、吊り下げ用と据え置き用との形態の変更を繰り返すことが可能であるという効果を奏する。
【図面の簡単な説明】
【００１０】
【図１】本発明に係る実施の一例において吊支用フック板が起立した状態を斜視で示す説明図である。
【図２】一例のブランクを示す説明図である。
【図３】一例の吊支用フック板が起立した状態を図１Ａ−Ａ線での断面で示す説明図である。
【図４】一例の吊支用フック板が起立した状態を上方からの平面で示す説明図である。
【図５】一例の吊支用フック板を倒し込んだ状態を背部斜め上からの斜視で示す説明図である。
【発明を実施するための形態】
【００１１】
つぎに本発明を図１から図５に示す実施の形態に基づいて詳細に説明する。図中１は吊り下げと据え置きとの何れの利用形態にも僅かな操作で変形して対応できる紙製の収納箱で、図１に示されているように収納箱１は外観形状を略板状とされている箱本体２と吊支用フック板３とが一体となっているものであり、一枚のブランク４を組み起こして形成されている箱である。
【００１２】
（箱本体）
箱本体２は、背面板５と、この背面板５の両側辺に側面板６を介して連接されて背面板５の前方側に折り曲げられている一対の内面板７と、前記背面板５の下辺に底面板８を介して連接されて背面板５の前方側に折り曲げられて、前記内面板７に重ね合わされている正面板９とからなり、正面板９の上辺に折り部１０を介して連接している折り返し片１１を前記内面板７の上辺部分に掛け止めるようにして箱内方に折り込んでいる。図３参照
【００１３】
（折り返し片）
折り返し片１１を折り込むことで正面板９を内面板７それぞれに係止固定していて、これによって箱本体２では、図１と図３に示すように背面板５と正面板９と底面板８と側面板６とで囲まれて上面に開口する出し入れ口１２を配した収納部１３が構成されている。折り返し片１１自体は背面板５の内面に接するように斜め下方に傾斜しており、折り部１０の位置で生じる折れに対する復元力によりその背面板５の内面に付勢状態で当接する。
【００１４】
図２のブランク４で示すように背面板５と正面板９とを略正方形状である広面の部分とし、側面板６と底面板８とを狭面の部分としていて、箱本体２は薄い立板状の形状となり、背面板５の上辺と側面板６の上辺と正面板９の上辺との位置を開口縁高さとする出し入れ口１２を通して上記収納部１３へ、例えば薄い物品や複数枚のチラシなどである枚葉の収納物１４を収納できるようにしている。そして、上記折り返し片１１が背面板５側に付勢されているので、収納部１３に入れた収納物１４を折り返し片１１と背面板５とで挟み込んで保持するようになり、抜き差しに際してや収納状態時に収納物１４がガタつかないように図られている。図３、図４参照（図２においては背面板５の外面が見える側のブランクが示されている）
【００１５】
（中間折り部）
折り返し片１１はブランク４で示されているように外縁を円弧状としているとともに、この折り返し片１１には上記折り部１０に直交する方向での長さのほぼ中央となる位置を通って前記折り部１０と平行な中間折り部１５がある。その中間折り部１５の位置は背面板５側であって折り部１０の高さ位置より十分に下位となる箇所に設定されている。そして折り返し片１１は中間折り部１５で下方に向けて（底面板８に向けて）折曲しており、中間折り部１５から折り曲げられた自由端側の部分を板片状の下垂部１６として有している。このように折り返し片１１は前記中間折り部１５にて折曲されているものであることから、箱本体２を組み起こす際に自由端側を背面板５に沿わせて先入れさせることができ、折り込み片１１の出し入れ口１２となる部分への差し込みがスムーズになる。
【００１６】
さらに上記下垂部１６は面として背面板５の内面に付勢状態で離接可能にして相対するものであり、この下垂部１６が面として背面板５の内面側に、また収納部１３に入れられている収納物１４に面として摺接可能に相対する板片ともなる部分であるので、この点からも組み起こしに際して折り込み片１１の出し入れ口１２となる部分への差し込みがスムーズになり、そして以下に示すように収納物１４の取り出しもスムーズになる。
【００１７】
仮に折り返し片１１が上記下垂部１６を有しておらず、折り返し片１１の端縁が直接的に収納物１４に対して付勢状態で当接している場合には、収納物１４を取り出すときにその収納物１４に対し引っ掛かりを生じさせ、折り返し片１１が引き起こされて出し入れ口１２の上方へと抜け出る可能性がある。本実施の形態では、折り返し片１１は、背面板５や収納物１４に摺接する下垂部１６を有していることから、収納部１３で収納物１４を出し入れするときもスムーズになる。従って、収納物１４を取り出すときに折り返し片１１が引き上げられることがなく、折り返し片１１自体の背面板５側への付勢状態も安定するという効果がある。
【００１８】
（吊支用フック板）
薄い略立板状の箱本体２における背面板５の上辺に折り部１７を介して上記吊支用フック板３が連接されていて、本実施の形態における吊支用フック板３では、掛け止め用開口部１８をこの吊支用フック板３における折り部１７側とは反対側に位置させることで、収納部１３の上方位置となるようにフック部１９を上端部側に形成したものである。
【００１９】
（吊り下げ）
このように本収納箱１では収納部１３となる箱本体２とフックとする吊支用フック板３とが一体にして設けられているので、図１に示すごとく箱本体２を吊支用フック板３の下側にすることで、吊支用フック板３をドアノブなどの被掛け止め対象物に掛け止めて収納部１３をその吊支用フック板３を介して吊支状態となるようにすることができる。
【００２０】
（フック板倒し込み）
箱本体２における背面板５には板片状のフック板倒し込み手段２０が切り込み形成されていて、底面板８側に位置する折り部２１から収納部１３の後方に向けて折り起こし可能に設けられている。そして、前記フック板倒し込み手段２０は、収納箱１自体を卓上などの据え置き形態で使用するときに上記吊支用フック板３が収納部１３の上方に突出することで収納箱１の外観を損なう不具合を解消するための働きを果たすものである。具体的には前記吊支用フック板３を背面板５の上辺位置の折り部１７から収納部１３後方に倒し、この収納部１３後方に倒れた吊支用フック板３の倒れ状態を保持する。図５参照
【００２１】
フック板倒し込み手段２０の形状は図２のブランク４に示されているように基部である折り部１８側から収納部高さ方向上方に向けてテーパー状に開く幅広の板片とされ、このフック板倒し込み手段２０の上辺側の両端部それぞれには係止用の切り込み２２が設けられている。
【００２２】
吊支用フック板３の吊り機能を使用せずに、即ち吊り下げ状態とはせずに収納部１３にチラシなどを出し入れできるようにした使い方をする場合には、上述したように収納部１３の上方に飛び出る吊支用フック板３が収納箱１の外観を損ね易いので、この吊支用フック板３を折り部１７から収納部１３後方に折り倒すようにするとともに、上記フック板倒し込み手段２０を背面板５から後方に向けて折り起こして、このフック板倒し込み手段２０の上辺側を吊支用フック板３の掛け止め用開口部１８に差し入れ、掛け止め用開口部１８の開口縁をフック板倒し込み手段２０の切り込み２２に係止させる。
【００２３】
切り込み２２と被掛け止め対象物（ドアノブなど）を通す掛け止め用開口部１８の開口縁との係止関係は、切り込み２２に掛け止め用開口部１８の開口縁を差し入れるという簡易なものであり、切り込み２２は掛け止め用開口部１８に係脱可能に係止するものである。
【００２４】
収納部１３の後方に倒し込まれた吊支用フック板３にフック板倒し込み手段２０を係止させて吊支用フック板３の後方への倒れ状態が保持されることで、この収納箱１を正面板９側から見たときに吊支用フック板３を後方に隠れることとなり、収納箱１の外観が整ったものとなる。そして、収納部１３は後方に傾倒する状態としているが、吊支用フック板３の収納部１３後方への倒れ状態がフック板倒し込み手段２０にて保持されており、後倒状態の収納部１３を吊支用フック板３が支持して、収納部下部と吊支用フック板との接地により収納部の自立状態を維持できるようにしている。図３参照
【００２５】
なお、吊支用フック板３をフック板倒し込み手段２０から外してこのフック板倒し込み手段２０に対し非係止状態にし、収納部１３の出し入れ口１２の上方に位置するように吊支用フック板３を戻すようにすれば、この吊支用フック板３を被掛け止め対象物に掛け止めることができる。
【００２６】
符号２３は正面板９に設けられた開口を示すもので、この開口２３を通して収納部１３の内外が連通しており、収納部１３に収納した収納物１４を目視できる。この開口２３を介した内外の連通が妨げないようにするため、内面板７それぞれの開口２３に対応する箇所が切り欠かれた形状としている。
【００２７】
（正面板開口、上面開口、背面板開放口）
収納箱１では、収納部１３に入れる収納物が、香気成分や消臭成分などを放つ芳香剤商品に代表される製品であっても、勿論構わないものである。そして、本収納箱１の折り返し片１１では上述したように外縁を円弧状にしていて、出し入れ口１２に折り込むことで折り返し片１１の基部両端部側と側面板６との間に上面開口２４が形成されて、この上面開口２４を介しても内外が常時連通するように設けられている。
【００２８】
このように収納部１３は吊り下げの使用形態や吊支用フック板を倒し込んだ使用形態のいずれにおいても、出し入れ口１２に閉鎖されることのない上面開口２４が形成されているとともに、収納部１３での正面板９に開口２３も備えているので、収納部１３に上記芳香剤製品からなる収納物１４を入れることで、収納部１３の上面（上面開口２４）と正面板９（開口２３）とから、香気成分や消臭成分を含む気体が良好に放出させることができる。
【００２９】
さらに上記吊支用フック板３を収納部１３の後方に倒し込むとともにフック板倒し込み手段１７を背面板５から折り起こして、そのフック板倒し込み手段１７で吊支用フック板３の倒し込みを維持する上記据え置きの使用形態では、背面板５にフック板倒し込み手段１７の折り起こしによって開放口２５が形成される。この開放口２５は比較的面積の大きな開口部となって上記芳香剤製品などからなる収納物が開放口２５を通して外部に晒されることとなるが、開放口２５が収納部１３の背部に位置していて前記収納物が目視し難くいとともに、背部側から収納箱１を手で支え持つなどの操作をしても、その背部側では吊支用フック板３が開放口２５の手前に位置しているので、吊支用フック板３がガードとなって収納物に直接手が触れることがないという利点がある。
【符号の説明】
【００３０】
１…収納箱
２…箱本体
３…吊支用フック板
５…背面板
９…正面板
１０…正面板の上辺の折り部
１１…折り返し片
１３…収納部
１７…背面板の上辺の折り部
１８…掛け止め用開口部
１９…フック部
２０…フック板倒し込み手段
【図１】
0006409454.tif 000002
【図２】
0006409454.tif 000003
【図３】
0006409454.tif 000004
【図４】
0006409454.tif 000005
【図５】
0006409454.tif 000006